(57)【要約】【課題】給湯器の多機能化を損なうことなくそのコントローラ操作部の小型化・簡素化を図ると共に、正常時の運転状況と異常時の運転状況とに対応してコントローラ操作を行うことができる給湯器コントローラ操作システム及び給湯器コントローラを提供する。【解決手段】管理用サーバー１５１からダウンロードした設定プログラムに基づき給湯器コントローラ１２０を操作する制御信号を、ワイヤレスで送信する送信手段を備えた携帯端末を設ける。携帯端末から送信されたワイヤレスの制御信号を受信する受信手段と、当該受信手段によって受信された受信信号に基づき前記コントローラの設定を操作する制御手段とを備えた給湯器コントローラ１２０を設ける。【選択図】        図２
2005180745.tif 000002
【特許請求の範囲】
【請求項１】
給湯器に装着され該給湯器を制御するコントローラと、該コントローラーの設定プログラムを管理する管理用サーバーと、該管理用サーバーからインターネット回線を介して給湯器設定プログラムをダウンロードする携帯端末とから成り、該携帯端末は、前記管理用サーバーからダウンロードした設定プログラムに基づき前記コントローラを操作する制御信号をワイヤレスで送信する送信手段を備え、前記コントローラは、前記携帯端末から送信されたワイヤレスの制御信号を受信する受信手段と、当該受信手段によって受信された受信信号に基づき前記コントローラの設定を操作する制御手段とを備えたことを特徴とする給湯器コントローラ操作システム。
【請求項２】
前記携帯端末は、前記給湯器コントローラからワイヤレスで送信された給湯器の運転状況に関するデータを受信する受信手段と、当該受信手段によって受信されたデータをストレージする記憶手段と、給湯器コントロ−ラーからワイヤレスで送信された給湯器の運転状況に関するデータを送信する送信手段とを備え、前記コントローラから送信された運転状況に関するデータを正常時の運転状況と異常時の運転状況とに判別すると共に、異常時の運転データを前記管理用サーバーに送信するプログラムが携帯端末のユーザーアプリケーションプログラム用メモリーにインストールされている請求項１記載の給湯器コントローラ操作システム。
【請求項３】
給湯器に装着され該給湯器を制御するコントローラと、該コントローラーの設定プログラムを管理する管理用サーバーと、該管理用サーバーにインターネット回線を介してアクセスする携帯端末とから成り、該携帯端末は、管理用サーバーからダウンロードした設定プログラムに基づき前記コントローラを操作する制御信号をワイヤレスで送信する送信手段を備えた操作システムの給湯器コントローラにおいて、前記携帯端末から発信したワイヤレスの制御信号を受信する受信手段を備えると共に、該受信手段で受信した制御信号に基づきコントローラを操作する制御手段を備え、該制御手段が制御する給湯器の運転状態をワイヤレスで前記携帯端末に送信する送信手段を備えたことを特徴とする給湯器コントローラ。
【請求項４】
前記制御手段に、給湯器の動作日時及び時刻を指定するカレンダー機能と所定の日時が経過した際に給湯器内の加熱済みの湯水を自動的に入替える休止モード機能とを設け、前記受信手段で受信した制御信号に基いて休止モード機能が作動する請求項３記載の給湯器コントローラ。
【請求項５】
前記制御手段において、外気温度が高い時期に沸し上げ温度を下げる季節モード機能を設け、前記受信手段で受信した制御信号に基いて季節モード機能が作動する請求項３記載の給湯器コントローラ。
【請求項６】
前記制御手段において、複数の電気給湯器をグループ別に設定し、各グループを単位時間ごとに交互に通電せしめる交互運転機能を設け、前記受信手段で受信した制御信号に基いて交互運転機能が作動する請求項３記載の給湯器コントローラ。
【請求項７】
前記コントローラは、電源スイッチと、赤外線受光部又は赤外線投受光部の何れか一つを備えた操作部を設けた請求項３乃至６いずれかに記載の給湯器コントローラ。
【発明の詳細な説明】
【技術分野】
【０００１】
本発明は給湯器に使用するコントローラとこの給湯器コントローラを操作する給湯器コントローラ操作システム及び給湯器コントローラに関する。
【背景技術】
【０００２】
例えば、電気給湯器には加熱温度制御に加えてカレンダー機能などの様々な機能を制御するコントローラが備え付けられている。そして、近年電気給湯器自体の機能が向上するにつれて、この機能を十分に発揮させるためにコントローラの操作部（マンマシンインターフェース部）も様々なスイッチや表示器が設けられるようになっている。これに伴い、コントローラの操作部自体も大型化・複雑化してきた。このような多機能対応型コントローラの操作パネルは、使い慣れれば当該コントローラの機能を十分に発揮する上で役立つものである。しかし、コントローラ自体が大型化するに伴い、コントローラ操作部の金型製作のコストもかかるようになってきた。
【０００３】
また、コントローラで電気給湯器を制御するに当たってその制御をやり易くするために、当該コントローラに専用リモコンを備え、このリモコンを用いて電気給湯器を制御する場合がある。かかるリモコンは、例えばテレビのリモコン等において用いられるように赤外線を利用したタイプのものが一般的である。このようなリモコンを製造するに当たって、電気給湯器の製造メーカーは、リモコン自体の機能には大差ないが各社独自の特徴を出すために外観の異なるリモコンを各社ごとに製造することが一般的に行なわれている。
【０００４】
一方、近年の携帯電話やＰＨＳに代表される携帯端末の普及度は急速に広がっており、大抵の人が携帯端末を身に付けている状況にある。特に若い人には携帯端末のテンキーやコマンドキーを目祝することなく親指だけで自在に操作できるように使い慣れている人が多い。また、このような携帯端末を利用して様々な装置の遠隔監視や制御を行うような技術も知られている。ここでこれらの関連技術について以下に紹介する。
【０００５】
特許文献１は、ユーザアプリケーションのプログラムを携帯端末にダウンロードする技術が記載されている。これによって、ユーザーが操作する携帯電話でインターネット上のさまざまな情報サイトにアクセスして所望のサービスを利用するようになっている。なお、ここでいう情報サイトとはあらかじめ登録されているレストランの場所やメニューなどの情報を提供する情報サイト（サーバーシステム）である操作部（マンマシンインターフェース部）も様々なスイッチや表示器が設けられるようになっている。これに伴い、コントローラの操作部自体も大型化・複雑化してきた。このような多機能対応型コントローラの操作パネルは、使い慣れれば当該コントローラの機能を十分に発揮する上で役立っものである。しかし、コントローラ自体が大型化するに伴い、コントローラ操作部の金型製作のコストもかかるようになってきた。
【０００６】
特許文献２には、携帯電話に自動お湯はりを指示するモードを備え、携帯電話から自動お湯福一りを遠隔で指示する技術が記載されている。また、この技術においては給湯器のコントローラに入浴プログラムをインストールすることが可能となっている。
【０００７】
特許文献３は、携帯電話に赤外線受光部を備え、保守データを吸い上げて修理の納優先庖格優先の選択をした後、赤外線データのやりとりを介してサービスサーバーにデータを送信する技術が記載されている。
【０００８】
特許文献４は、火災等が起きたときホームコントローラから携帯電話に連絡し、当該携帯電話によってホームコントローラを制御する技術が記載されている。
【０００９】
特許文献５は、制御設備から異常の知らせを携帯電話に伝える技術として、監視通報装置に対して異常の知らせを行うプログラムが携帯電話に内蔵されている技術が記載されている。
【００１０】
特許文献６には、温水熱源器の情報を携帯電話に現場で一時的に書き込み、これを管理センターに持ち帰って携帯電話をパソコンにつなぎプリントアウトする技術が記載されている。
【特許文献１】特開２００２−７２６８号公報
【特許文献２】特開２００２−１７４４５３号公報
【特許文献３】特開２００２−２９７８０９号公報
【特許文献４】特開２００１−１２７８９７号公報
【特許文献５】特開２００２−１１１８９２号公報
【特許文献６】特開２００１−３１８９５０号公報
【発明の開示】
【発明が解決しようとする課題】
【００１１】
上述したように給湯器コントローラの高機能化に伴う操作パネルの大型化・複雑化はコントローラ操作パネルの金型コストを高くするため、このような金型コストへの投資を少なくすることが要求されている。また、リモコン製造メーカーにとっては電気給湯器自体を製造する製造メーカー毎に当該メーカー独自のリモコンを製造するのでは、そのつど短期間で当該製造メーカー独自のリモコンを開発しなければならず、リモコンの金型コストも高くつく。
【００１２】
しかも、携帯電話をリモコンとして実際に使用する際に、給湯器コントローラが異常運転をしている場合、通常の操作では対応できない状態になることがある。また、このような異常運転を知らずに通常の操作を行うことで、更に取り返しのつかない運転状況になる虞もある。そこで、特に、携帯電話をリモコンとして使用するには、給湯器コントローラの異常運転を迅速に判断して対応できる手段が必要になっている。
【００１３】
更に、コントローラ操作部はマンマシンインターフェース部としての重要な機能を果たしているので、コントローラ操作部の取付け位置は電気給湯器における操作のし易い場所に限定される。しかしながら、電気給湯器のコントローラ自体が大型化してコントローラ操作部も大型化することに伴って、コントローラ操作部は給湯器の限定された位置に配置される。このように電気給湯器に占めるコントローラ操作部の配置場所が限定されることで、電気給湯器の設計上の自由度を制約する場合が多くなっている。
【００１４】
また、リモコン自体の大きさも大型化して製造コストが高くなっている。その上、リモコン自体は専用品であるので、例えば電気給湯器がレストラン等の店舗に設置される場合でアルバイトの店員などのようにリモコン操作者が頻繁に入れ替わる場合、リモコンの操作方法を操作者ごとに毎回を教えなければならず、かなりの時間を費やしてしまう。同様に、専用品であるリモコンの操作方法に慣れるまである軽度の時間を要し、かつこの間リモコン操作に当たって操作マニュアルを確認しつつリモコンを目祝しながら操作しなければならないので、電気給湯器を制御するに当たってのリモコン操作時間を余分に必要とする。
【００１５】
更には、リモコン自体は専用品であるため、リモコンを破損した場合には代替品を入手するまで操作者は慣れない操作パネルを直接使用しなければならず、使い慣れたリモコンをその間使うことができなくなる。そのため、電気給湯器を制御するに当たってコントローラの操作に手間取ってしまう。また、専用リモコンを紛失したりすると、代替リモコンが無いのでリモコンを探すためにかなりの無駄時間を費やしてしまう。
【００１６】
以上のように電気給湯器の高機能化に伴い、そのコントローラ操作部とコントローラ操作用リモコンの使い難さに関する様々な問題が顕在化してきた。
【００１７】
なお、上述した数々の先行特許文献は以下のような理由によって本発明の課題を解決するには至らない技術であることが分かる。
【００１８】
特許文献１は、ユーザー端末に給湯器設定プログラムをダウンロードする機能を単に記載したものに過ぎない。即ち、例えばレストラン検索サービス等のプログラムが例示され、これらのプログラムに基づき予め登録されているレストランの場所やメニューなどの情報を当該情報サイト（サーバーシステム）から引き出す内容が記載されているに過ぎず、携帯端末を用いてコントローラ操作部を小型化・簡素化する点については開示も示唆もされていない。
【００１９】
特許文献２には、携帯電話から自動お湯はりを指示するモードを選択できる点と入浴プログラムをインストール可能となっている点が記載されているが、入浴プログラムのインストール先はコントローラ自体であって携帯電話ではない。従って、携帯端末を用いて給湯器コントローラの操作部を小型化・簡素化する点については開示も示唆もされていない。
【００２０】
特許文献３には、携帯電話に赤外線受光部を備え、保守データを吸い上げて修理の納期を優先すべきか価格を優先すべきかの選択をした後にサービスサーバーにデータを送信する内容が記載されている。しかしながら、この記載内容は単に携帯電話と給湯器コントローラとの間で赤外線によるデータのやりとりを行うだけの内容に留まり、携帯端末を用いてコントローラ操作部を小型化・簡素化する点については開示も示唆もされていない。
【００２１】
特許文献４には、火災等が起きたときに携帯電話に通報し，携帯電話によってホームコントローラを制御する機能が記載されているが、これも携帯電話を安全上の監視システムに利用したものに過ぎず、携帯端末を用いてコントローラの操作部を小型化・簡素化する点については開示も示唆もされていない。
【００２２】
特許文献５は、監視設備からの異常の知らせを携帯電話に伝える技術であり、当該公報には監視通報装置に対して異常状態の発生を知らせるプログラムが携帯電話に内蔵されている点が記載されている。しかしながら、携帯電話に内蔵されたプログラムは異常監視の発報に関するプログラムであり、携帯端末を用いて監視設備自体のコントローラ操作部の小型化・簡素化を図る点については開示も示唆もされていない。
【００２３】
特許文献６には、温水熱源機の情報を現場で携帯電話に一時的に書き込み、これを監視センターに持ち帰ってプリントアウトする機能が記載されているに過ぎず、携帯電話を用いて温水熱源機のコントローラ操作部を小型化・簡素化する点については開示も示唆もされていない。
【００２４】
特許文献７は、特定の携帯電話を所持している者が特定のエリアに戻ってくると携帯電話からホームコントローラに信号が送信されてホームコントローラを制御するシステムに関する技術であるが、かかる携帯電話を用いてホームコントローラ操作部を小型化・簡素化する点については記載も示唆もされていない。
【００２５】
以上に加えて、上記先行特許文献はカレンダー機能を備えた給湯器に特有の問題点を解決した点について開示も示唆もしていない。具体的には、例えば電気給湯器にはカレンダー機能が備わっていることが多いが、このようなカレンダー機能は給湯器の動作日時や時刻をその使用状態に合わせて定期的に設定し直す作業が必要とされる。かかる設定作業を行うに当たって従来のような給湯器コントローラのテンキー等を用いて入力していたのでは、慣れないキー操作を行う必要があると共に、例えば給湯器コントローラの設置場所によって不自然な姿勢で設定作業を行わなければならず、設定作業がやり難いことが多い。また、専用リモコンを用いて設定作業を行う場合も、そのリモコンの操作方法が分からず設定作業がやり難いことが多い。そのため、このような面倒なカレンダー機能の入力をよりやり易くすることが要望されている。
【００２６】
そこで本発明は、上述の課題を解決すべく創出されたもので、管理用サーバーからインターネット回線を介して給湯器設定プログラムをダウンロードすることで、給湯器の多機能化を損なうことなくそのコントローラ操作部の小型化・簡素化を図ると共に、コントローラから送信された運転状況に関するデータを管理用サーバーに送信することで、正常時の運転状況と異常時の運転状況とに対応してコントローラ操作を行うことができる給湯器コントローラ操作システム及び給湯器コントローラの提供を目的とするものである。
【課題を解決するための手段】
【００２７】
上述の目的を達成すべく本発明の第１の手段は、給湯器に装着され該給湯器を制御するコントローラと、該コントローラーの設定プログラムを管理する管理用サーバーと、該管理用サーバーからインターネット回線を介して給湯器設定プログラムをダウンロードする携帯端末とから成り、該携帯端末は、前記管理用サーバーからダウンロードした設定プログラムに基づき前記コントローラを操作する制御信号をワイヤレスで送信する送信手段を備え、前記コントローラは、前記携帯端末から送信されたワイヤレスの制御信号を受信する受信手段と、当該受信手段によって受信された受信信号に基づき前記コントローラの設定を操作する制御手段とを備えた給湯器コントローラ操作システムにある。
【００２８】
第２の手段において、前記携帯端末は、前記給湯器コントローラからワイヤレスで送信された給湯器の運転状況に関するデータを受信する受信手段と、当該受信手段によって受信されたデータをストレージする記憶手段と、給湯器コントロ−ラーからワイヤレスで送信された給湯器の運転状況に関するデータを送信する送信手段とを備え、前記コントローラから送信された運転状況に関するデータを正常時の運転状況と異常時の運転状況とに判別すると共に異常時の運転状況に関する運転データを特定の管理用サーバーに送信するプログラムが携帯端末のユーザーアプリケーションプログラム用メモリーにインストールされた給湯器コントローラ操作システムである。
【００２９】
第３の手段は、給湯器に装着され該給湯器を制御するコントローラと、該コントローラーの設定プログラムを管理する管理用サーバーと、該管理用サーバーにインターネット回線を介してアクセスする携帯端末とから成り、該携帯端末は、管理用サーバーからダウンロードした設定プログラムに基づき前記コントローラを操作する制御信号をワイヤレスで送信する送信手段を備えた操作システムの給湯器コントローラにおいて、前記携帯端末から発信したワイヤレスの制御信号を受信する受信手段を備えると共に、該受信手段で受信した制御信号に基づきコントローラを操作する制御手段を備え、該制御手段が制御する給湯器の運転状態をワイヤレスで前記携帯端末に送信する送信手段を備えた給湯器コントローラにある。
【００３０】
第４の手段における給湯器コントローラにおいて、前記制御手段は、給湯器の動作日時及び時刻を指定するカレンダー機能と所定の日時が経過した際に給湯器内の加熱済みの湯水を自動的に入替える休止モード機能とを有し、前記受信手段で受信した制御信号に基いてカレンダー機能と休止モード機能とが作動する。
【００３１】
第５の手段における給湯器コントローラにおいて、前記制御手段は、外気温度が高い時期に沸し上げ温度を下げる季節モード機能を有し、前記受信手段で受信した制御信号に基いて季節モード機能が作動する。
【００３２】
第６の手段は、前記制御手段において、複数の電気給湯器をグループ別に設定し、各グループを単位時間ごとに交互に通電せしめる交互運転機能を設け、前記受信手段で受信した制御信号に基いて交互運転機能が作動する。
【００３３】
第７の手段における給湯器コントローラの操作部は、電源スイッチと、赤外線受光部又は赤外線投受光部の何れか一つとを備えたことにある。
【発明の効果】
【００３４】
本発明において、請求項１の操作システムによると、携帯端末をリモコン代わりに使用し、管理用サーバーからインターネット回線を介して給湯器設定プログラムをダウンロードすることで、給湯器の多機能化を損なうことなくそのコントローラ操作部の小型化・簡素化を図ることができる。
【００３５】
また、本発明操作システムは、給湯器コントローラの操作を携帯端末で行うことができるので、従来の給湯器自体の高機能をコントローラに発揮させるために大型かつ複雑な操作表示部を当該給湯器コントローラに設ける必要がなくなる。即ち、給湯器には携帯端末から発信されたワイヤレス信号の受信部を少なくとも有していれば良いので、コントローラ自体を給湯器のどのような場所にでも配置できるようになり、コントローラ配置上の制約を受けなくて済む。そのため、給湯器の設計の自由度が向上する。
【００３６】
更に、本発明操作システムは、給湯器コントローラを操作する専用リモコンを用いず携帯端末により給湯器コントローラを操作するので、給湯器のメーカーごとに専用品である独自のリモコンを製造しなくて済み、リモコン製造に要する金型コストを省くことができる。
【００３７】
しかも、本発明操作システムは、従来のように専用品であるリモコンの操作に慣れるまで時間を要することがなくなる。即ち、携帯端末として使用する携帯電話は一般に広く普及しており、各自が使い慣れた自分の携帯電話を用いて給湯器コントローラを操作することができるので、専用リモコンの操作方法を覚える必要がなく、コントローラの操作方法も短期間で習熟することができるようになる。また、給湯器コントローラの操作者が頻繁に入れ替わる環境下においてもコントローラの操作方法や専用リモコンの操作方法を教育する時間を短縮することができる。
【００３８】
更に、本発明操作システムは、専用リモコンを紛失することがなくなり、当該専用リモコンを探すような手間を省くことができる。しかも、専用リモコンを破損した場合に代替品を入手するまで慣れないコントローラ操作部自体の操作を行う必要が無くなり、その上、代替品を購入するコストを省くこともできる。
【００３９】
本発明における請求項２の操作システムは、携帯端末が給湯器の運転状況に関するデータをストレージし、コントローラから送信された運転状況に関するデータを管理用サーバーに送信することで、正常時の運転状況と異常時の運転状況とに対応してコントローラの操作を行うことができる。
【００４０】
しかも、本発明操作システムの携帯端末は、携帯端末が給湯器の運転状況に関する運転データを送信することができるようになっているので、このような運転状況に関するデータを中央監視装置等に送り、故障診断に役立てることができる。また、給湯器の状態を常に正確に診断することができ、かつ給湯器の最適な運転状況と比較することも可能となり、経験の少ないメンテナンス要員であっても正確な故障診断を行うことができるようになる。
【００４１】
更に、本発明操作システムの携帯端末は、携帯端末が給湯器の異常時の運転状況に関する運転データを独自に判別して管理用サーバーに送信することができるので、給湯器の異常発生を迅速に判断することができる。
【００４２】
本発明における請求項３に記載のコントローラは、極めて簡素なコントローラ操作部を備えながら携帯端末を介して多機能のコントローラ操作を行うことができる。また、シンプルなコントローラ操作部であるので給湯器コントローラ自体に関する製造金型のコスト低減を図ると共に、給湯器内におけるコントローラ配置の自由度が高まり、給湯器の小型化を達成できる。
【００４３】
本発明における請求項３及び７に記載のコントローラは、コントローラが携帯端末に給湯器の運転状況をワイヤレスで送信することができるので、給湯器の運転状況を確実に判断することができる。また、コントローラと監視装置との間を配線する必要がなく、かつモデム等を介して特別な電話回線で接続する必要もない。従って、設備設置のコスト低減に貢献することが可能である。
【００４４】
本発明における請求項４に記載の給湯器コントローラによると、給湯器がその動作日時や時刻をその使用状態に合わせて定期的に設定し直す作業が必要とされるカレンダー機能を備えているが、従来のような給湯器コントローラのテンキー等を用いて慣れないキー操作で入力したりせずに済む。また、給湯器コントローラがどのような場所に設置されていても、不自然な姿勢で設定作業を行わずに済む。また、操作方法の分かり難い専用リモコンを用いての設定作業も行わずに済む。そのため、カレンダー機能を備えた給湯器においてかかるカレンダー機能の入力をより行い易くする。
【００４５】
本発明の請求項４によると、前記制御手段に、カレンダー機能と、休止モード機能とを備え、携帯端末の送信手段で前記給湯器コントローラの休止モード機能を設定することができるので、所定の日時が経過した際に給湯器内の加熱済みの湯水を自動的に入替えることが可能になる。
【００４６】
本発明の請求項５により、前記制御手段に季節モード機能を備え、前記送信手段で前記給湯器コントローラの季節モード機能を設定することができるので、外気温度が高い時期に、沸し上げ温度を一定温度低下せしめることが可能になる。
【００４７】
本発明の請求項６により、前記制御手段に交互運転機能を備え、前記送信手段で前記給湯器コントローラの交互運転機能を設定することができるので、複数の電気給湯器をグループ別に設定し、各グループを単位時間ごとに交互に通電せしめることができるものである。
【発明を実施するための最良の形態】
【００４８】
本発明によると、給湯器に装着され該給湯器を制御するコントローラと、該コントローラーの設定プログラムを管理する管理用サーバーと、該管理用サーバーからインターネット回線を介して給湯器設定プログラムをダウンロードする携帯端末とから成る。該携帯端末は、前記管理用サーバーからダウンロードした設定プログラムに基づき前記コントローラを操作する制御信号をワイヤレスで送信する送信手段を備える。前記コントローラは、前記携帯端末から送信されたワイヤレスの制御信号を受信する受信手段と、当該受信手段によって受信された受信信号に基づき前記コントローラの設定を操作する制御手段とを備える。前記携帯端末は、前記給湯器コントローラからワイヤレスで送信された給湯器の運転状況に関するデータを受信する受信手段と、当該受信手段によって受信されたデータをストレージする記憶手段と、給湯器コントロ−ラーからワイヤレスで送信された給湯器の運転状況に関するデータを送信する送信手段とを備える。前記コントローラから送信された運転状況に関するデータを正常時の運転状況と異常時の運転状況とに判別すると共に異常時の運転状況に関する運転データを管理用サーバーに送信するプログラムが前記携帯端末のユーザーアプリケーションプログラム用メモリーにインストールされるものである。
【実施例】
【００４９】
以下、本発明の一実施形態にかかる電気給湯器のコントローラ操作システムについて図面に基づき説明する。なお、以下の実施形態においては携帯端末として赤外線ポートを備えた携帯電話を利用しているが、必ずしもこれに限定されるものではない。
【００５０】
本発明の一実施形態にかかる電気給湯器のコントローラ操作システムは、図１に示すように電気給湯器１１０に接続された給湯器コントローラ１２０と、この給湯器コントローラ１２０を赤外線によるワイヤレスで操作する携帯端末として使用する携帯電話１４０とからなる。そして、携帯電話１４０は、図２に示すように、携帯電話回線を介して中央監視センター１５０及び電気給湯器のメンテナンス要員Ｍと無線で通信できるようになっている。
【００５１】
給湯器コントローラ１２０は、図１に示すように、電気給湯器１１０を適切に加熱制御する制御装置（ＣＰＵ）１２１と、電気給湯器１１０の加熱制御に使用する所定のパラメータ等を予め記憶したＲＯＭ１２２aと、電気給湯器１１０の運転状況を一時的に記憶したり例えば一遇間の動作パターンを各曜日及び時間ごとに記憶し、いわゆるカレンダー機能を実現するためのＲＡＭ１２２bと、ＣＰＵ１２１に接続された赤外線通信部１２３と、赤外線通信部１２３に接続された赤外線投光部１２４a及び赤外線受光部１２４b等を備えている。
【００５２】
一方、携帯電話１４０は携帯電話内部にＣＰＵ１４１と、携帯電話本来の機能を発揮するためのＲＯＭ１４２a及びＲＡＭ１４２bからなるメモリー１４２と、携帯電話１４０の音声又はデータを変換する変復調部１４５と、無線送受信部１４６と、ＣＰＵ１４１に接続された赤外線通信部１４３と、赤外線通信部１４３に接続された赤外線投光部１４４b及び赤外線受光部１４４a等を備えている。また、携帯電話１４０はＣＰＵ１４１にユーザーアプリケーションプログラム用メモリー１４７が接続され、中央監視センター１５０（図２参照）のサーバー１５１から提供される給湯器コントローラ１２０の操作プログラムをこのユーザーアプリケーションプログラム用メモリー１４７にダウンロードできるようになっている。また、携帯電話１４０のＣＰＵ１４１には給湯器コントローラ１２０からアップロードした電気給湯器の運転データをプリンタ等外部機器に出力するためのシリアルＩ／F１４９が接続されている。
【００５３】
このような携帯電話１４０は、近年よく利用されるようになった例えばiモード（登録商標）等のWEBサイトからJa v a（登録商標）等のアプリケーションプログラムをダウンロードし、これを実行する機能がサポートされた携帯電話１４０を使用している。即ち、iモードユーザーとして、iモードのWEBサイトに接続して、この場合携帯電話１４０を電気給湯器のリモコンとして使用するためのユーザーアプリケーションプログラムや携帯電話１４０のリモコン機能に電気給湯器のカレンダー機能を制御するためのアプリケーションプログラムをダウンロードしてインストールするようになっている。
【００５４】
アプリケーションのダウンロードは例えば以下の手順で行われる。最初にiモードブラウザを使って必要なアプリケーションプログラムのダウンロードリンク先を決定する。この場合、ダウンロードリンク先は、給湯器コントローラ１２０の操作用プログラムを提供するリンク先である。そして、リンクをクリックしてインストール作業を開始する。これによって給湯器コントローラ１２０の操作プログラムが携帯電話１４０の給湯器設定プログラム用メモリー１４７へダウンロードされる。また、サーバー１５１においてアプリケーションプログラムが適時更新されるようになっており、そのつど最新の給湯器コントローラ操作用アプリケーションプログラムを適宜ダウンロードしてインストールすることができる。
【００５５】
これによって、給湯器設定プログラム用メモリー１４７の中に、給湯器コントローラ１２０の操作用プログラムがインストールされ、赤外線ポートを有するタイプの携帯電話１４０を給湯器コントローラ１２０の操作用リモコンとして使用することができるようになる。
【００５６】
続いて、携帯電話１４０と中央監視センター１５０との関係について説明する。携帯電話１４０は、図２に示すように携帯電話網を介して中央監視センター１５０と通信可能となっている。管理用サーバー１５１から給湯器設定プログラムを携帯電話１４０のユーザーアプリケーションプログラムをダウンロードする場合の操作手順を図７に示している。まず、管理用サーバー１５１にアクセスしてユーザーアプリケーションプログラムを携帯電話１４０のユーザーアプリケーションプログラム用メモリー１４７にダウンロードする。次に、携帯電話１４０にダウンロードした設定プログラムから設定メニューを選択し、詳細を設定する。続いて、選択した設定メニューのプログラムを携帯電話１４０から給湯器コントローラ１２０に送信する。そして、給湯器コントローラ１２０に送信された設定プログラムに基いて、電気給湯器１１０が稼動するものである。
【００５７】
このように携帯電話１４０を給湯器コントローラ１２０のリモコンとして使用することで、経験の少ない新人のサービス要員やメンテナンス要員であっても、自分の使い慣れた携帯電話１４０を用いて給湯器コントローラ１２０の操作方法を短期間で習熟することができるようになる。
【００５８】
一方、電気給湯器１１０が加熱しない等の異常発生時には、携帯電話１４０を介して電気給湯器１１０の運転データを中央監視センター１５０の管理用サーバー１５１に送ることができる。この手順を図８に示している。まず、給湯器コントローラ１２０から携帯電話１４０に電気給湯器１１０の運転データを受信して記憶手段にストレージする。次に、携帯電話１４０において、受信した運転データから電気給湯器１１０の運転が正常か異常かを判断する。続いて、運転データが異常と判断されると、この運転データを携帯電話１４０から管理用サーバー１５１に送信する。中央監視センター１５０では、送られた運転データをデータベース１５２の内容と比較して故障原因の推測を行うと共に、携帯電話１４０を介して巡回中のメンテナンス要員Ｍに連絡するものである。
【００５９】
この時点で、ある程度の故障原因を推測するので、現場で必要とされる部品や修理用機器をメンテナンス要員Ｍに予め知らせておくことができ、メンテナンスの効率化を図ることができる。これによって中央監視センター１５０から連絡を受けたメンテナンス要員Ｍがある程度の故障状況を把握しながら電気給湯器１１０の下にすぐに点検に行き修理や部品交換を効率的に行うことが可能となっている。
【００６０】
また、このような異常発生時にメンテナンス要員Ｍが現場に駆けつけた後、携帯電話１４０のＲＡＭに電気給湯器１１０の運転データを一時的に記録し、この携帯電話１４０を中央監視センター１５０に持ち帰って電気給湯器１１０の運転用データベース１５２にシリアルＩ／F１４９を介して（携帯電話回線を介さずに）直接書き込んだり、持ち帰ったデータをその場でプリントアウトして、故障診断の解析に役立てることも可能である。
【００６１】
これによって、従来のように異常発生時にメンテナンス要員Ｍが給湯器コントローラ１２０自体を交換して故障したコントローラを持ち帰るという面倒な作業をなるべく行わずに済む。
【００６２】
一方、携帯電話１４０を介して、電気給湯器１１０の運転状況等のデータを中央監視センター１５０とやりとりできるので、図２に示すに二点鎖線で示すような従来の複雑な専用回線が必要なくなる。
【００６３】
なお、携帯電話１４０は、図２に示すように電気給湯器１１０の各サービス要員やメンテナンス要員が常に携帯していても良く、又は給湯器コントローラ１２０に専用の携帯電話１４０を常時備え付けようにしておいても良い。なお、後者の場合は携帯電話１４０を介して電気給湯器１１０の運転データを給湯器コントローラ１２０から赤外線を介して携帯電話１４０に定期的に読み込むようにし、この読み込んだ運転データを、携帯電話網を介して中央監視センター１５０に適宜送信するのが好ましい。
【００６４】
なお、上述の実施形態においては電気給湯器の給湯器コントローラ１２０とこの給湯器コントローラ１２０のリモコンに携帯電話１４０を使用する内容について説明したが、必ずしもこれに限定されずガス給湯器のコントローラとこのコントローラのリモコンにかかる携帯電話を適用可能であることは言うまでもない。
【００６５】
また、給湯器コントローラ１２０から送信された運転状況に関するデータを携帯電話１４０が中央監視センター１５０に定期的に送信するようにしても良く、正常時の運転状況と異常時の運転状況とに判別して異常時の運転状況に関する運転データのみを中央監視センター１５０に送信するようにしても良い。
【００６６】
また、以上の説明内容においては、赤外線投受光部を介して携帯電話１４０と給湯器コントローラ１２０間との通信をワイヤレスで行う点について記載したが、必ずしもこれに限定される必要はない。従って、通信手段として近距離を非接触で通信できるものであればいかなるものを利用しても良く、RF−ID、１０Ｍ経度の近距離無線通信のインターフェース規格であるブルートウース、２．４GHz帯の電波を使つた無線LANであるHoＭe RF、その他の無線LANの標準的な規格として知られるIEEE８０２．１１等のいかなる送受信手段を使用することも可能である。
【００６７】
また、上述の実施形態においては携帯端末として携帯電話１４０を記載したが、必ずしもこれに限定されずPHS（personalHandy phone SysteＭ）のような携帯端末であれば広く利用できる。
【００６８】
この携帯電話１４０のリモコンとしての具体的な使用方法は以下の通りとなる。なお、携帯電話１４０をリモコンとして使用するに当たって、ユーザー認証を経てから操作することは言うまでもない。また、電気給湯器１１０の設定温度等については携帯電話１４０のテンキーやコマンドキーを介して全て入力可能となる。
【００６９】
具体的には、図３に示すコマンドナビゲーションボタンCKやソフトキーSKl、ソフトキーSK２によりメニューを呼び出し、ダイヤルボタン（テンキー）を操作することで各種データのやり取りを行う。
【００７０】
例えば、コマンドナビゲーションボタンCKによって、温度設定モード、タイマモード、急速湯沸しモード、メンテナンスモード、現在温度表示モードの何れかのモードを選択可能とする。この場合、タイマモードを選択したとすると、続くソフトキー操作に移行する。このソフトキー操作においては、湯沸し開始時間設定、カレンダ設定、自動運転時間設定、日時修正の何れかを選択できる。ここで湯沸し開始時間設定が選択されると、ダイヤルボタン（テンキー）により例えば０７時００分（時、分は固定）と入力することで湯沸し開始時間を設定できる。
【００７１】
また、電気給湯器１１０の加熱温度についても携帯電話１４０をリモコンとして使用することで任意に設定可能である。また、電気給湯器１１０の加熱パターンは例えば給湯器コントローラ１２０のＲＡＭ１２２bに備わるカレンダー機能により各曜日及び時間ごとに細かく設定可能である。また、このカレンダー機能の書き換えは携帯電話１４０をリモコンとして利用することで容易に行うことができる。
【００７２】
図４（イ）乃至（ハ）は、携帯電話１４０の画面に表示される内容を例示的に表したものである。すなわち、同図（イ）は電気給湯器の温度設定モードを選択した場合に表示される内容で、テンキーとコマンドキーとで設定温度を容易に入力できる。また、携帯電話１４０のコマンドキーCKで現在温度表示モードを選択すると、同図（ロ）に示す現在温度表示の指令内容に移行する。ここで、この表示内容に従うと、現在温度が表示される。同図（ハ）は電気給湯器に関する運転データの後述するデータアップロードモードを選択した場合の表示内容を示している。この図に示すように特定のテンキーやコマンドキーを押すだけでデータアップロードを簡単に行うことができる。
【００７３】
以上のように本実施形態では従来のリモコンで行っていた操作内容を全て携帯電話１４０の表示画面に表示させることで赤外線を介してコントローラ操作を容易に行うことを可能としている。
【００７４】
従って、給湯器の動作日時や時刻をその使用状態に合わせて定期的に設定し直す作業が必要とされるカレンダー機能を備えた給湯器の場合、従来のような給湯器コントローラのテンキー等を用いて慣れないキー操作で入力したりせずに済む。また、給湯器コントローラがどのような場所に設置されていても、不自然な姿勢で設定作業を行わずに済む。また、操作方法の分かり難い専用リモコンを用いての設定作業も行わずに済む。そのため、電気給湯器の機能として一般的なカレンダー機能を備えた給湯器において当該カレンダー機能の入力をより行い易くする。
【００７５】
本発明の給湯器コントローラ１２０は、前記カレンダー機能と共に、休止モード機能を備えている。この休止モード機能は、所定の日時が経過した際に、給湯器内の加熱済みの湯水を自動的に入替える機能である。この休止モード機能を作動せしめる日時の設定も前記携帯電話１４０を操作して行うものである。例えば、前記カレンダー機能によって、夏季休暇や年末年始の長期休暇に休止モード機能が作動するように設定しておくと、タンク内の湯水を排出して休暇を迎え、休み明けに新しい水を給水して沸し上げを行う。開放式の湯沸器では、タンクをからにすることができるが、密閉式の温水器の場合、押出し方式となるので、一度沸し上げて塩素が飛んでしまった湯を、一定時間排出することで、塩素の含まれた水道水をタンク内に取り込み、雑菌の増殖を抑えるものである。
【００７６】
携帯電話１４０による休止モード機能の設定は図９に示すように行う。先ず、インターネット回線を介して管理用サーバー１５１にアクセスし、ユーザーアプリケーションプログラムをダウンロードする。次に、ダウンロードしたプログラムから休止モード機能のメニューを選択して、期間等の設定を行う。休止モードの期間設定は、前日に設定を行う日数入力と、カレンダー機能を利用したカレンダー入力とがある。日数入力では、「明日から何日間」というように設定日数を入力する。カレンダー入力では、開始の年、月、日と、終了の年、月、日とを入力する。そして設定内容を給湯器コントローラ１２０に送信する。更に、休止モード機能を実行するかしないかをＯＮ／ＯＦＦで選択する。
【００７７】
更に、本発明の給湯器コントローラ１２０は、制御手段に季節モード機能を備えている。この季節モード機能は、給水時の水温が高くなる時期に沸し上げ機能を停止する機能である。この季節モード機能を、夏季のように環境温度と共に水温が上昇し、湯を使用する機会が少なくなる時期に設定しておくことで、必要以上の高温に沸し上げることがなくなる。すなわち、季節モード機能は、給水温度が設定値以上になるとヒータへの通電を停止し、下回るとヒータ通電を行う機能である。そのため季節モードが作動してヒータへの通電が停止している状態では、給水温度は給水される水温のまま加熱されずに吐水される。このように、季節モード機能は、電気量及び放熱ロスを減らすことができる。
【００７８】
携帯電話１４０による季節モード機能の設定は図１０に示すように行なう。先ず、インターネット回線を介して管理用サーバー１５１にアクセスし、ユーザーアプリケーションプログラムをダウンロードする。次に、ダウンロードしたプログラムから季節モード機能のメニューを選択して、温度の設定を行なう。例えば、給水時の水温が３０度Cを上回ったときにヒータへの通電を停止させたいのであれば、温度を３０度Cに設定する。この温度は、任意に設定する。そして設定内容を給湯器コントローラ１２０に送信する。更に、季節モード機能を実行するかしないかをＯＮ／ＯＦＦで選択する。
【００７９】
本発明給湯器コントローラの制御手段に、更に交互運転機能を設けている。この交互運転機能は、複数の電気給湯器をグループ別に設定し、各グループを単位時間ごとに交互に通電せしめる機能である。この交互運転機能により、複数の電気給湯器が同時に通電しないように設定できるので、最大需要電力（契約電力）を抑えることが可能になる。各グループのごとに交互に通電する際に、各グーループの給湯器が完全に沸し上げるまで通電するのではなく、5分単位、10分単位、15分単位というように、一定時間ごとに通電を行い、各グループが冷めない範囲で少しずつ沸し上げるものである。
【００８０】
例えば、単相１００V１．１ｋWという仕様の給湯器A・B機を２台設置する場合、通常であれば２台の給湯器は別々に配線されるので、湯の使用状況によって、２台同時にヒータ通電する場合があり、そのため最大需要電力は２．２ｋWになってしまう。これに対して、給湯器が交互運転モードに設定されている場合、２台同時にヒータ通電しなければいけない状況でもA機がヒータ通電していればB機はヒータ通電を行なわない。そのため最大需要電力は１．１ｋＷで済むことになる。
【００８１】
携帯電話１４０による交互運転モード機能の設定は図１１に示すように行う。先ず、複数台の給湯器の各給湯器コントローラ１２０を有線にて接続し、接続した給湯器コントローラ１２０の制御手段に親機、子機の設定を行う。このとき、各給湯器コントローラ１２０を有線にて接続せずに、携帯電話１４０のみで親機、子機の設定を行うようにすることも可能である。この設定は、給湯器メンテナンス要員Ｍが行う。次に、インターネット回線を介して管理用サーバー１５１にアクセスし、ユーザーアプリケーションプログラムをダウンロードする。次に、ダウンロードしたプログラムから交互運転モード機能のメニューを選択し、交互運転時間を設定して親機の給湯器コントローラに送信する。この設定も給湯器メンテナンス要員Ｍが有する携帯電話１４０のみが設定できるようにしている。
【００８２】
交互運転モード機能は次のように作動する。例えば、２台の給湯器を使用してＡ機を親機、Ｂ機を子機、設定時間を１０分とすると、Ａ機のタンク内の水温が設定温度より低い場合、ヒータに１０分間通電する。例えタンク内の水温が設定温度に達していなくても、１０分後には停止し、Ｂ機に運転命令を出す。Ｂ機のタンク内の水温が設定温度より低い場合ヒータに通電し、１０分間だけ運転を行う。親機であるＡ機は常にＢ機を監視しており、Ｂ機が通電している間、Ａ機は通電しない。このとき、Ｂ機が６分で沸し上がって４分余った場合、Ｂ機が通電していないのを検知して自分が通電する必要があれば、設定時間の１０分が完了するのを待たずに自分のヒータに通電する。逆の場合も同様で、Ａ機が設定時間内に沸し上がった場合は、すぐにＢ機に運転の命令を出す。このようにＡ機とＢ機とで設定温度に達するまで交互に運転を行なう。２台が切り換わる際にはタイムラグを設け、瞬間的にでも同時に通電してしまうのを防止している。昼時など使用が集中する時間帯には、２台同時に通電する必要が出てくることも考えられるが、交互運転のためどちらか一方は待つことになる。
【００８３】
また、携帯電話１４０をこのように給湯器コントローラ１２０のリモコンとして使用することによって、電気給湯器１１０に接続されたコントローラ１２０の操作部１３０を後述するように極めて簡素な構成とすることができる。即ち、給湯器コントローラ１２０の操作部１３０は、図２に示すように、電源スイッチ１３１と赤外線投受光部１３２のみを備えており、これ以外の例えばテンキー、コマンドキー、電気給湯器運転微調整用スイッチ等は一切備えていない。従って、図２に二点鎖線で示す従来型の給湯器コントローラ操作部に較べて給湯器コントロ−ラ１２０の操作部１３０を極めてシンプルなものにすることができ、コントローラ操作部１３の金型コストを格段に低減することができる。
【００８４】
図５は従来型の給湯器コントローラの操作部示し、図６は、本発明の一実施形態にかかる給湯器コントローラの操作部１３０を示す。図６からも明らかなように、本発明にかかる給湯器コントローラ操作システムを利用することで給湯器コントローラの操作部１３０を極めてシンプルな構成にすることができる。また、携帯電話１４０を利用することで、操作者はコントローラ設置場所や設置高さに係わらず一定の姿勢で給湯器コントローラ１２０の制御を行うことができ、特に高齢者が給湯器コントローラ１２０の制御を行う場合などに無理な姿勢で行うことがなくなり、その使い勝手が非常に良くなるものである。
【図面の簡単な説明】
【００８５】
【図１】本発明の一実施形態にかかる給湯器コントローラ操作システムの電気給湯器、コントローラ、及びリモコンとして使用する携帯電話を記載した概略ブロック構成図である。
【図２】本発明の一実施形態にかかる給湯器コントローラ操作システム全体を示した概略構成図である。
【図３】本発明の一実施形態にかかる給湯器コントローラ操作システムに使用する携帯電話の一例を示す図である。
【図４】図３に示す携帯電話を用いた設定画面を示し、（イ）は温度設定画面、（ロ）は現在温度表示画面、（ハ）はデータアップロード画面を示す図である。
【図５】従来の操作パネルを示す正面図である。
【図６】本発明の操作パネルの一実施例を示す正面図である。
【図７】本発明操作システムの操作手順を示すフロー図である。
【図８】本発明操作システムの他の操作手順を示すフロー図である。
【図９】本発明の休止モード機能の設定手順を示すフロー図である。
【図１０】本発明の季節モード機能の設定手順を示すフロー図である。
【図１１】本発明の交互運転モード機能の設定手順を示すフロー図である。
【符号の説明】
【００８６】
１１０  
１２０    給湯器コントローラ
１２１    ＣＰＵ
１２２a ＲＯＭ
１２２b ＲＡＭ
１２３    赤外線通信部
１２４a    赤外線投光部
１２４b    赤外線受光部
１４０    携帯電話
１４１    ＣＰＵ
１４２    メモリー
１４２a ＲＯＭ
１４２b ＲＡＭ
１４３    赤外線通信部
１４４a    赤外線受光部
１４４b    赤外線投光部
１４５    変復調部
１４６    無線送受信部
１４７    ユーザーアプリケーションプログラム用メモリー
１５０    中央監視センター
１５１    管理用サーバー
Ｍ    給湯器メンテナンス要員
【図１】
2005180745.tif 000003
【図２】
2005180745.tif 000004
【図３】
2005180745.tif 000005
【図４】
2005180745.tif 000006
【図５】
2005180745.tif 000007
【図６】
2005180745.tif 000008
【図７】
2005180745.tif 000009
【図８】
2005180745.tif 000010
【図９】
2005180745.tif 000011
【図１０】
2005180745.tif 000012
【図１１】
2005180745.tif 000013